(57)【要約】【課題】建物の地縄立ち会いなどにおいて、建てようとする建物の床面の仕上がり位置などを視認させると同時に、その場で容易にこの床面と同じ高さに昇っての疑似体験ができるようにする。【解決手段】表示装置１と、天板２０をその高さ調整可能に支持してなる台装置２とを備えてなる。表示装置１は、前面を建てようとする建物の基礎側断面形状Ｆを実寸大で表示する表示面１ａとすると共に、この表示面１ａの上端１ｂによってこの建物の床面の仕上がり位置Ｍｄを表示するように構成されている。この表示装置１を、台装置２の天板２０に、この天板２０の上面と表示装置１の表示面１ａの上端１ｂとを同レベルに置くようにして、吊り下げ状に支持させている。【選択図】図１
0003131444.tif 000002
【実用新案登録請求の範囲】
【請求項１】
表示装置と、天板をその高さ調整可能に支持してなる台装置とを備えてなり、
表示装置は、前面を建てようとする建物の基礎側断面形状を実寸大で表示する表示面とすると共に、この表示面の上端によってこの建物の床面の仕上がり位置を表示するようになっており、
この表示装置が、台装置の天板に、この天板の上面と表示装置の表示面の上端とを同レベルに置くようにして、吊り下げ状に支持されるようになっていることを特徴とする建物の地縄立ち会いなどにおける体験器具。
【請求項２】
台装置が、天板上において着座姿勢をとることを可能とする椅子部材を備えていることを特徴とする請求項１記載の建物の地縄立ち会いなどにおける体験器具。
【請求項３】
台装置は、天板上に位置される手掛け部を備えていると共に、この手掛け部が建てようとする建物の窓の下縁の仕上がり位置と同じレベルに位置づけられるようになっていることを特徴とする請求項１記載の建物の地縄立ち会いなどにおける体験器具。
【請求項４】
台装置は、ステップ付きの脚体によって天板を支持すると共に、
表示装置は、表示面に少なくとも建てようとする建物の玄関土間面、玄関ポーチ面、敷地入り口から玄関に至るアプローチ面の仕上がり位置のいずれか一以上を表示させており、
前記脚体のステップの少なくとも一つが、この表示された仕上がり位置と同レベルに位置づけられるようになっていること特徴とする請求項１記載の建物の地縄立ち会いなどにおける体験器具。
【請求項５】
台装置が、天板上において着座姿勢をとることを可能とする椅子部材を備えていると共に、
天板上に位置される手掛け部を備えており、
この手掛け部が建てようとする建物の窓の下縁の仕上がり位置と同じレベルに位置づけられるようになっていることを特徴とする請求項１記載の建物の地縄立ち会いなどにおける体験器具。
【考案の詳細な説明】
【技術分野】
【０００１】
この考案は、建物の地縄立ち会いなどにおいて、施主などに、建てようとする建物の基礎側に配される床面の仕上がり位置などを分かりやすく視認させると同時に、その場でこれらの各面のうちの少なくとも床面と同じ高さに昇っての疑似体験をさせるようにした体験器具に関する。
【背景技術】
【０００２】
建物の地縄立ち会いにおいて、施主などに建物完成時のその建物の床面などの仕上がり位置などを分かりやすく説明するために、こうしたときに現状地盤上に配されて用いられる建物基礎側の各位置の表示装置が本願出願人により先に開示されている。（特許文献１参照）
【０００３】
この表示装置は、施主などに、建物完成時の床面などの仕上がり位置などを、それまでになく具体的にイメージさせるものである。しかるに、その仕上がり位置に実際に立った場合の雰囲気や視界などは想像に委ねる他はなかった。こうした雰囲気や視界なども施主などにその場で簡易に実体験させることができれば、こうした地縄立ち会いをより意義あるものとすることができる。
【特許文献１】特開２００６−３０１０５１号公報
【考案の開示】
【考案が解決しようとする課題】
【０００４】
この考案が解決しようとする主たる問題点は、建物の地縄立ち会いなどにおいて、建てようとする建物の床面の仕上がり位置などを視認させると同時に、その場で容易にこの床面と同じ高さに昇っての疑似体験ができるようにする点にある。
【課題を解決するための手段】
【０００５】
前記課題を達成するために、この発明にあっては、建物の地縄立ち会いなどにおける体験器具を、表示装置と、天板をその高さ調整可能に支持してなる台装置とを備えてなり、
表示装置は、前面を建てようとする建物の基礎側断面形状を実寸大で表示する表示面とすると共に、この表示面の上端によってこの建物の床面の仕上がり位置を表示するようになっており、
しかも、この表示装置を、台装置の天板に、この天板の上面と表示装置の表示面の上端とを同レベルに置くようにして、吊り下げ状に支持させたものとした。
【０００６】
かかる構成によれば、現状地盤上に設計地盤のレベルを考慮して天板の高さを調整して台装置を設置することでこの台装置に吊り下げ支持される表示装置によって建てようとする建物の基礎側の各面などの仕上がり位置を視認させることができる。また、台装置の天板上に乗り上がることで、建てようとする建物の床面の高さ、さらにはそこから見える風景などを体感できる。
【０００７】
前記台装置にさらに、天板上において着座姿勢をとることを可能とする椅子部材を備えさせておけば、台装置の天板上において椅子部材を利用して着座することもでき、建てようとする建物の床面上において椅子に座った状態を体感することもできる。
【０００８】
前記台装置にさらに、天板上に位置される手掛け部を備えさせると共に、この手掛け部が建てようとする建物の窓の下縁の仕上がり位置と同じレベルに位置づけられるようにしておけば、天板上に乗り上がったときに、さらには前記椅子部材に着座した状態において、建てようとする建物の窓の下縁などをイメージさせやすくすることができる。
【０００９】
前記台装置を、ステップ付きの脚体によって天板を支持するように構成させると共に、
表示装置は、表示面に少なくとも建てようとする建物の玄関土間面、玄関ポーチ面、敷地入り口から玄関に至るアプローチ面の仕上がり位置のいずれか一以上を表示させており、
前記脚体のステップの少なくとも一つを、この表示された仕上がり位置と同レベルに位置づけさせておくこともある。
【００１０】
このようにした場合、天板への乗り上がりをかかるステップを利用してなすことができる。また、玄関土間面の仕上がり位置と同レベルに位置づけられたステップ上で起立すれば建てようとする建物の玄関土間面の高さを、玄関ポーチ面の仕上がり位置と同レベルに位置づけられたステップ上で起立すれば建てようとする建物の玄関ポーチ面の高さを、アプローチ面の仕上がり位置と同レベルに位置づけられたステップ上で起立すればこのアプローチ面の高さを、それぞれ体感できる。
【考案の効果】
【００１１】
この考案によれば、台装置に支持される表示装置によって、建物の地縄立ち会いなどにおいて、建てようとする建物の床面の仕上がり位置などを分かりやすく視認させることができる。また、これと同時に、台装置によって前記床面の仕上がり位置などと同じ高さに昇っての雰囲気や視界などを確認する疑似体験をすることができる。
【考案を実施するための最良の形態】
【００１２】
以下、図１〜図４に基づいて、この考案を実施するための最良の形態について説明する。
【００１３】
なお、ここで図１は実施の形態にかかる体験器具を側方から見た状態として、図２はこれを構成する表示装置１を斜視の状態として、図３は椅子部材２３の組み合わせ箇所を、図４は手掛け部２４を構成させる補助部材２５の組み合わせ箇所を、それぞれ示している。
【００１４】
この実施の形態にかかる体験器具は、建物の地縄立ち会いなどにおいて、建てようとする建物の基礎側に配される各面などが、建物が完成したときにどの高さや位置に配されるかを分かりやすく視認させることができると同時に、その場でこれらの各面のうちの少なくとも床面と同じ高さに昇っての疑似体験をさせることができるようにするものである。
【００１５】
かかる体験器具は、表示装置１と、天板２０をその高さ調整可能に支持してなる台装置２とを備えてなる。
【００１６】
かかる表示装置１は、前面を建てようとする建物の基礎側断面形状Ｆを実寸大で表示する表示面１ａとすると共に、この表示面１ａの上端１ｂに床の断面の図柄を表すことによってこの建物の床面の仕上がり位置Ｍｄを表示するように構成されている。
【００１７】
図示の例では、かかる表示装置１の表示面１ａには、前記基礎側断面形状Ｆに加えて設計地盤面（いわゆる設計ＧＬ／基礎工事を始める前の現状地盤Ｇよりも基礎工事から生じる土砂によって高いレベルとなる。）、玄関土間面の仕上がり位置Ｍｃ、玄関ポーチ面の仕上がり位置Ｍｂ、敷地入り口から玄関に至るアプローチ面の仕上がり位置Ｍａの表示がされている。
【００１８】
また、前記基礎側断面形状Ｆにおける設計地盤面ＧＬ以下を表示させた装置下部１ｃが、その上端１ｄ、つまり、この基礎側断面形状Ｆにおける設計地盤面ＧＬ以上を表示させた装置上部１ｆとのつなぎあわせ箇所において屈曲可能となっている。図示の例では、かかる装置下部１ｃは、その下端１ｅを現状地盤Ｇに接しさせた状態で前方に向けて傾動できるようになっている。典型的には、かかる装置下部１ｃの上端１ｄと、装置上部１ｆの下端１ｇとを、ヒンジ体を介してつなげさせるなどすることで、装置下部１ｃをこのように傾動させることができる。また、図示の例にあっては、かかる表示装置１は、プレート体として構成されている。そして、その一面が前記前面となっており、この前面に前記基礎側断面形状Ｆが実寸大で表示されている。かかる基礎側断面形状Ｆは、典型的にはいわゆる矩計図に基づいて作成される。
【００１９】
かかる基礎側断面形状Ｆを、前記表示面１ａに基礎側断面形状Ｆを記したシート体（実寸大の矩計図を複写した紙など）を糊や両面粘着テープなどを用いて貼着させることにより表示装置１に備えさせるようにしておけば、この基礎側断面形状Ｆを容易かつ明確に表示装置１の表示面１ａに表示させることができると共に、表示させる基礎側断面形状Ｆの変更も容易となる。
【００２０】
かかる表示装置１にあっては、装置下部１ｃの下端を現状地盤Ｇに突き当てながら、この装置上部１ｆと装置下部１ｃとのつなぎあわせ箇所が設計地盤面ＧＬとなるレベルに位置づけられるように装置下部１ｃを前方に向けて傾動させることができる。これにより、地縄立ち会いにおいて、施主に対し、少なくとも設計地盤面ＧＬの高さと、設計地盤面ＧＬ以下にどのような基礎がどのような大きさで埋設されるかを、現状地盤Ｇを掘削することなく、分かりやすく説明することができる。典型的には、かかる表示装置１は、表示面１ａに描かれた基礎の中心が地縄上に位置されるように台装置２によって現状地盤上に配されて用いられる。これにより、道路面からの基礎などの距離、道路面を基準とした各部位のレベルなどが一見して理解可能となる。
【００２１】
かかる表示装置１は、台装置２の天板２０に、この天板２０の上面と表示装置１の表示面１ａの上端１ｂとを同レベルに置くようにして、吊り下げ状に支持されるようになっている。
【００２２】
図示の例では、天板２０は長さと巾とを備えており、その四隅においてそれぞれ脚体２１によって支持されるようになっている。脚体２１は軸２１ａをもって天板２０の隅部２０ｂに組み合わされており、台装置２は折り畳み可能に構成されている。脚体２１はこのように天板２０に組み合わされたパイプ状をなす主体部２１ｂと、この主体部２１ｂの下端側においてこの主体部２１ｂにこの主体部２１ｂへの入れ込み量を可変調整可能に組み合わされたパイプ状をなすアジャスト部２１ｄとを備えている。このアジャスト部２１ｄの入れ込み量を変えることで、脚体２１の長さを可変させ天板２０の高さを、建てようとする建物の床面の高さに合致させることができるようになっている。
【００２３】
台装置２の天板２０の高さ調整により、表示装置１の表示面１ａの上端１ｂのレベルも変わることから、この表示装置１によって施主の要望などにより設計地盤面ＧＬを変更させた状態を表示させることも容易となる。また、地縄立ち会い後も装置上部１ｆと装置下部１ｃとのつなぎあわせ箇所が設計地盤面ＧＬとなるレベルに位置づけられるようにした状態で表示装置１を設置し続けることができ、その後の施工において基礎高さなどに間違いが生じないようにすることができる。
【００２４】
図示の例では、表示装置１のその上端１ｂを台装置２の天板２０にヒンジ２２を介して止め付けることで、この天板２０に表示装置１を吊り下げ状に支持させている。このようにした場合、台装置２を折りたたんで運搬あるいは撤去する際に表示装置１を台装置２と分離させることなく邪魔にならない態様に纏めることができる。台装置２と表示装置１との組み合わせは、表示装置１の上端１ｂに天板２０への弾性掛合部や引っ掛け部、粘着部や磁気的な吸着部などを設けさせることによってもなすことができる。
【００２５】
また、図示の例では、かかる台装置２は、天板２０上において着座姿勢をとることを可能とする椅子部材２３を備えている。図示の例では、前記脚体２１の主体部２１ｂは天板２０に対する組み付け軸２１ａよりも上方に延び出す延長部２１ｃを有している。そして、図示の例では、天板２０の巾側において隣り合う一対の脚体２１、２１における主体部２１ｂの延長部２１ｃに椅子部材２３を組み合わせることで台装置２に椅子部材２３を備えさせている。図示の例では、かかる椅子部材２３は、座板２３ａとこの座板２３ａを支える左右フレーム２３ｂ、２３ｂよりなり、フレーム２３ｂは座板２３ａに組み付けられる横向き部２３ｃと前記延長部２１ｃに入れ込まれる縦向き部２３ｄとを備えている。かかる椅子部材２３の左右フレーム２３ｂ、２３ｂの縦向き部２３ｄをそれぞれ対応する主体部２１ｂの延長部２１ｃに上方からはめ込むことで、天板２０上に椅子部材２３の座板２３ａが水平に支持されるようになっている。
【００２６】
また、図示の例では、かかる台装置２は、天板２０上に位置される手掛け部２４を備えていると共に、この手掛け部２４が建てようとする建物の窓の下縁の仕上がり位置Ｍｅと同じレベルに位置づけられるようになっている。図示の例では、前記椅子部材２３を支持する脚体２１に対向する脚体２１の延長部２１ｃに継ぎパイプ部２１ｅがこの延長部２１ｃへの入れ込み寸法を可変調整可能な状態で上方から入れ込み組み合わされており、この継ぎパイプ部２１ｅの上端が建てようとする建物の窓の下縁の仕上がり位置Ｍｅと同じレベルに位置づけられるようになっている。すなわち、天板２０とこの継ぎパイプ部２１ｅの上端とのピッチを、建てようとする建物の床面の仕上がり位置Ｍｄと窓の下縁の仕上がり位置Ｍｅとの間のピッチに一致させることができるようになっている。図示の例ではまた、かかる継ぎパイプ部２１ｅの上端部に入れ込み組み合わされる縦向き部２５ｂと横向き部２５ａとを備えた補助部材２５を前記椅子部材２３を支持する脚体２１に対向する脚体２１の延長部２１ｃに取り付けるようにしており、この補助部材２５が前記手掛け部２４として機能するようになっている。
【００２７】
また、図示の例では、前記脚体２１はステップ２１ｆを備えている。具体的には、天板２０の巾方向において隣り合う脚体２１の主体部２１ｂ間に、天板２０の下方において、棒状体が架設されており、この棒状体が前記ステップ２１ｆとして機能するようになっている。
【００２８】
そして、前記のように表示装置１の表示面１ａには、建てようとする建物の玄関土間面、玄関ポーチ面、敷地入り口から玄関に至るアプローチ面の仕上がり位置Ｍｃ、Ｍｂ、Ｍａが表示されていると共に、脚体２１はこれらの表示された仕上がり位置と同レベルにそれぞれ位置づけられたステップ２１ｆを備えている。
【００２９】
現状地盤Ｇ上に設計地盤ＧＬのレベルを考慮して天板２０の高さを調整して台装置２を設置することでこの台装置２に吊り下げ支持される表示装置１によって建てようとする建物の基礎側の各面などの仕上がり位置の視認が可能とされる。
【００３０】
次いで、台装置２の天板２０上に乗り上がることで、建てようとする建物の床面の高さ、さらにはそこから見える風景などを体感できる。天板２０への乗り上がりは、台装置２の脚体２１に備えられたステップ２１ｆを利用してなすことができる。玄関土間面の仕上がり位置Ｍｃと同レベルに位置づけられたステップ２１ｆ上で起立すれば建てようとする建物の玄関土間面の高さを、玄関ポーチ面の仕上がり位置Ｍｂと同レベルに位置づけられたステップ２１ｆ上で起立すれば建てようとする建物の玄関ポーチ面の高さを、アプローチ面の仕上がり位置Ｍａと同レベルに位置づけられたステップ２１ｆ上で起立すればこのアプローチ面の高さを、それぞれ体感できる。
【００３１】
台装置２の天板２０上においては椅子部材２３を利用して着座することもでき、建てようとする建物の床面上において椅子に座った状態を体感することもできる。
【００３２】
図示の例では、台装置２の天板２０上には、手掛け部２４を備えた脚体２１側からステップ２１ｆを利用して乗り込む。乗り込んだ後は左右の手掛け部２４を構成する補助部材２５の横向き部２５ａ上に板材などを渡すことで建てようとする建物の窓の下縁などをイメージさせやすくすることができる。
【図面の簡単な説明】
【００３３】
【図１】体験器具の側面構成図
【図２】同要部斜視構成図
【図３】同要部分離斜視構成図
【図４】同要部分離斜視構成図
【符号の説明】
【００３４】
１  表示装置
１ａ  表示面
１ｂ  上端
２  台装置
２０  天板
Ｆ    基礎側断面形状
Ｍｄ  床面の仕上がり位置
【図１】
0003131444.tif 000003
【図２】
0003131444.tif 000004
【図３】
0003131444.tif 000005
【図４】
0003131444.tif 000006